(57)【要約】【課題】ファンの取り付け作業中にファンが落下することがなく、しかも少ないねじの本数でファンを固定できる盤用ヒータを提供する。【解決手段】筺体１に、ヒータ２と、そのヒータ２によって加熱された空気を盤内に循環させるファン３とを取り付けた盤用ヒータ２である。筺体１は、ヒータ２の背面側にファン３を収納するファン収納部１４を有し、筺体１の側面の形成された開口部１５からファン収納部１４内にファン３をスライドさせて挿入し、ねじ８で固定した。【選択図】図４
2014023203.tif 000002
【特許請求の範囲】
【請求項１】
筺体に、ヒータと、そのヒータによって加熱された空気を盤内に循環させるファンとを取り付けた盤用ヒータにおいて、
前記筺体は、ヒータの背面側にファンを収納するファン収納部を有し、
このファン収納部内に側面の開口部からファンをスライドさせて挿入し、固定具で固定したことを特徴とする盤用ヒータ。
【請求項２】
筺体の一つの側面に取付部を設け、他の一つの側面にヒータとファンとの接続部を設けたことを特徴とする請求項１に記載の盤用ヒータ。
【請求項３】
前記取付部を筐体の直交する二つの側面に設けたことを特徴とする請求項２に記載の盤用ヒータ。
【発明の詳細な説明】
【技術分野】
【０００１】
本発明は、配電盤、分電盤、通信盤などの電気電子機器収納ボックスに取り付けられる盤用ヒータに関するものである。
【背景技術】
【０００２】
電気電子機器収納ボックス等の盤内を温める装置として、特許文献１に示すような、盤用ヒータが知られている。この盤用ヒータは、ヒータと、ヒータを収納する筐体と、ファンとを備え、ヒータにより加熱された空気を盤内へ供給して盤内を温める構造である。これにより、盤内に収納された電気電子機器に低温障害が生じることを防止するとともに、盤内の温度上昇により相対湿度を下げて、電気電子機器の接続端子等に結露が発生することを防止するものである。
【０００３】
一般に、盤用ヒータは数万時間駆動させた後にファンを交換する必要があるが、そのためには電気電子機器収納用ボックスから盤用ヒータを取り外し、その後盤用ヒータからファンを取り外す必要があるため、作業が煩雑であった。また、従来、ファンは筐体の四隅に直接ねじで固定されていた。そのため、ねじの本数が多く、またねじを取外すとファンが分離してしまい、仮止めができなかったので作業性が悪かった。
【先行技術文献】
【特許文献】
【０００４】
【特許文献１】特開２０１０−２７３４５９号公報
【発明の概要】
【発明が解決しようとする課題】
【０００５】
本発明の目的は前記問題を解決し、ファンの取り付け作業中にファンが落下することがなく、しかも少ない本数のねじなどの固定具でファンを固定できる盤用ヒータを提供することである。
【課題を解決するための手段】
【０００６】
上記課題を解決するためになされた本発明は、筺体に、ヒータと、そのヒータによって加熱された空気を盤内に循環させるファンとを取り付けた盤用ヒータにおいて、前記筺体は、ヒータの背面側にファンを収納するファン収納部を有し、このファン収納部内に側面の開口部からファンをスライドさせて挿入し、固定具で固定したことを特徴とするものである。
【０００７】
また、筺体の一つの側面に取付部を設け、他の一つの側面にヒータとファンとの接続部を設けた構造とすることが好ましい。さらに、前記取付部を筐体の直交する二つの側面に設けた構造とすることが好ましい。
【発明の効果】
【０００８】
本発明に係る盤用ヒータは、筺体にファンを収納するファン収納部を形成し、筺体の側面の開口部からファンをスライドさせて挿入する構造である。このため取付ねじの本数を減らすことができるうえ、ファンを筺体内に仮保持させることができるので、ねじ止めする際にファンが落下する危険がなく、ねじの位置決めにもなるため取付け作業性が向上する。
【０００９】
また、請求項２のように、筺体の一つの側面に取付部を設け、他の一つの側面にヒータとファンとの接続部を設けた構造とすれば、バランスがよくなりコンパクト構成とすることができる。
【００１０】
さらに請求項３のように、取付部を筐体の直交する二つの側面に設けた構造とすれば、盤内の取付スペースの広さや形状に応じて、盤用ヒータの取り付け方向を選択することができる。
【図面の簡単な説明】
【００１１】
【図１】本発明の実施形態の斜視図である。
【図２】本発明の実施形態の背面斜視図である。
【図３】本発明の実施形態の分解斜視図である。
【図４】本発明の実施形態の分解斜視図である。
【図５】本発明の実施形態の縦断面図である。
【発明を実施するための形態】
【００１２】
以下に図面を参照しつつ、本発明の好ましい実施形態を示す。
図１、図２において、１は盤用ヒータの筺体、２は筐体１内に組み込まれた四角形のヒータ、３はヒータ２によって加熱された空気を盤内に循環させるためにヒータ２の背面に配置された外形状が四角形のファン、４はヒータ２やファン３を電源部に接続するために筐体１の上面に設けられた接続端子部、５は接続端子部４を覆う端子台カバーである。図２に示されるように、本発明の盤用ヒータは、筺体１の底面又は右側面に取付金具１１を取り付け、この取付金具１１を盤面に固定することにより盤内に設置されるものである。
【００１３】
図３に示すように、筺体１は、背面を開口させた箱体に後方に伸びる腕部９を延設し、この腕部９にファンガード１０を係合したものである。本実施形態では、腕部９は箱体の上面全体および底面の左右の計３箇所に形成されている。箱体上面の腕部９Ａは右側端を下方に折り曲げられ、折り曲げ部９ａは箱体の右側面と一体をなしている。底面右下の腕部９Ｂは右側端を上方に折り曲げた断面逆Ｌ字状をなし、折り曲げ部９ｂは箱体の右側面と一体をなしている。また、左下の腕部９Ｃは平板状に形成され、箱体の底面と一体をなしている。図４に示すように、これらの腕部９の先端にファンガード１０を取付けることにより、ヒータ２の背面側にファン３を収納するためのファン収納部１４が形成される。
【００１４】
ファンガード１０は図３に示すように略四角状の平板であり、上辺と下辺に垂直方向に伸びる係合爪１３が形成されている。これらの係合爪１３を前記腕部９Ａ，９Ｂ，９Ｃの係合孔１２に係合させることにより、ヒータ２の背面側にファン収納部１４が形成されるとともに、筺体１の左側面にファン３を挿入するための開口部１５が形成される。この開口部１５からファン３をスライドさせて挿入することにより、筺体１内にファン３を仮保持させることができる。また、ファンガード１０の四隅及び箱体の背面側の四隅には、挿入されたファン３を筺体１に固定するための挿通孔１６，１７が形成されている。前記の通り、ファン３は筺体１内に仮保持されているので、４箇所の挿通孔１６，１７のうち１、２箇所を使用してねじ止めすればよい。本実施形態では、左上端と右下端の２箇所を固定具であるねじ８により止めているが、これに限定されるものではなく、例えばワンタッチ固定具などを用いてもよい。
【００１５】
また、筺体１の一つの側面である上面には接続端子部４が載置され、この接続端子部４を覆うように端子台カバー５が取り付けられている。この面がヒータ２とファン３との接続部となる。また、筺体１の面の左側端には、ファン３の挿入方向に向かって切欠き部１８が形成されている。ファン３に接続された電線は、この切欠き部１８から引き出され、接続端子部４に案内されるので、配線の取り回しがよい。
【００１６】
端子台カバー５は無底のボックス体であり、天井面の一部を開口され、この開口部１９から接続端子部４の一部を露出させている。これにより、ファン３を交換するとき以外は、端子台カバー５を外すことなく配線を行うことができる。また、背面の下端には二対の係合爪２０が形成されている。さらに端子台カバー５の天井面には、筺体１の上面のねじ孔部２１に連通するねじ受け孔２２が形成されている。
【００１７】
なお、筺体１の底面及び右側面の双方に、盤用ヒータを取り付けるための取付孔２３，２４を形成して、これらの面を取付部としている。これにより、設置スペースの広さや形状に合わせていずれか一方を選んで、盤面に盤用ヒータを固定することができる。すなわち、盤用ヒータを縦置きするのに十分な設置スペースがある場合には、筺体１の底面に取付金具１１を取り付けて盤面に固定する。これに対し、縦置きはできないが横向きにできる場合には、開口部１５が上方に向くように筺体１の右側面に取付金具１１を取り付けて盤面に固定する。
【００１８】
この盤用ヒータを組み立てるには、まず箱体の腕部９Ａ，９Ｂ，９Ｃに穿設した係合孔にファンガード１０の係合爪１３を係合させる。これにより、ヒータ２の背面側にファン収納部１４が形成されるとともに、筺体１の左側面にファン３を挿入するための開口部１５が形成される。この開口部１５からファン収納部１４内にファン３をスライドさせて挿入する。このときファン３は箱体の内壁に形成された凸部２５によりヒータ２に接触することのないよう位置規制されるので、ヒータ２との間に一定の空間が形成される。ヒータ２とファン３が密着状態にあると、ファン３による風がヒータ２の一部に当たって跳ね返るため空気抵抗が生じるが、上記のように、ヒータ２とファン３との間に空間を形成することにより、ファン３による風の抵抗を減らし、効率よくヒータ２に空気を通過させることができる。また、ヒータ２の熱がファン３に伝わりにくくなるため、ファン３の寿命低下を防止できる。
【００１９】
次に、ファンガード１０の挿通孔、ファン３の挿通孔、箱体の挿通孔にねじ８を挿入しファン３を筺体１に固定する。ファン３は、既に筺体１に仮保持されているので、ねじの位置決めになり取付作業性が向上し、少ないねじの本数でファン３を固定できる。本実施形態では、左上部と右下部の２箇所をねじで固定している。その後、筺体１の上面に接続端子部４を載置する。図示しないが、ファン３に繋がれた電線は切欠き部１８から引き出され、接続端子部４に接続される。
【００２０】
最後に、筺体１の上面に端子台カバー５を固定する。本実施形態では、ファン３ード１０の上辺を切り欠くことにより筺体１の上面とファンガード１０との間に切欠き孔２６が形成されている。まず、この切欠き孔２６に端子台カバー５の係合爪２０を係合し、さらに端子台カバー５の天井面のねじ受孔２２と筺体１の上面のねじ孔部２１とをねじ止めする。
【００２１】
このように構成された本発明の盤用ヒータは、筺体１内にファン収納部１４を形成し、このファン収納部１４にファン３を保持できる構造にした。そのため、ファン３の取り付け作業中にファンが落下することがなく、安全である。また、ねじの位置決めにもなるため取付作業性が向上する。しかも、ファンを固定するためのねじ８の本数も少なくて済むなどの利点がある。
【符号の説明】
【００２２】
１  筺体
２  ヒータ
３  ファン
４  接続端子部
５  端子台カバー
６  ファンユニット
７（ファンの）挿通孔
８  ねじ
９  腕部
１０  ファンガード
１１  取付金具
１２（腕部９Ａの）係合孔
１３（ファンガードの）係合爪
１４  ファン収納部
１５（筺体の）開口部
１６（ファンガードの）挿通孔
１７（箱体の）挿通孔
１８  切欠き部
１９（端子台カバーの）開口部
２０（端子台カバーの）係合爪
２１  ねじ孔部
２２  ねじ受孔
２３（筺体底面の）取付孔
２４（筺体右側面の）取付孔
２５  凸部
２６  切欠き孔
【図１】
2014023203.tif 000003
【図２】
2014023203.tif 000004
【図３】
2014023203.tif 000005
【図４】
2014023203.tif 000006
【図５】
2014023203.tif 000007